(57)【要約】【課題】  ビリヤードなど水平な平面の台上棒で球体を撞く遊戯または競技において撞く技術を支える身体の適正な姿勢を阻害する身体に内在する力学的反動要因を棒の向きに現われる現象をもとに自律的に事前に排除して適正に水平な平面の台上棒で球体を撞く方法及び意識的能動的機械的に力学的反動の無い実施に阻害のない姿勢を誘導して適正に水平な平面の台上棒で球体を撞く方法並びに身体の自律調整反応過程を精査し実施に適切な姿勢を選択的に実現する適正に水平な平面の台上棒で球体を撞く方法を提供する。【解決手段】  ミスショットの原因となるフォームのキューのブレをストロークする以前に事前に実施者自身が察知してその原因のうち身体に内在する力学的反動要因を身体に本来具わった自律調整反応を利用して排除または能動補正しあるいは正しい姿勢を適正に選択してショットの成功率が向上することを特徴とする。【選択図】図１
2017060722.tif 000002
【特許請求の範囲】
【請求項１】
水平な平面の台上棒で球体を撞く遊戯または競技において球体を撞く技術を支える身体の適正な姿勢を阻害する身体に内在する力学的反動要因を身体の自律調整反応を利用して解放させ事前に排除する適正に水平な平面の台上棒で球体を撞く方法
【請求項２】
請求項１の方法に関して意識的能動的機械的に身体の自律調整反応を利用して身体操作をその反応に一致せしめる力学的反動という目的達成の阻害要因を身体から解放しそれに左右されない姿勢を誘導する適正に水平な平面の台上棒で球体を撞く方法
【請求項３】
請求項１または２の方法に関して付随する微細な姿勢の誤りを身体の自律調整反応の過程を精査して回避し目的達成に適正な姿勢を選択的に実現する力学的反動という実施目的達成阻害要因を身体から解放しそれに左右されない自己観察による自己選択的に実施可能な適正に水平な平面の台上棒で球体を撞く方法
【請求項４】
請求項１または２の実施方法であってかつそれらの実施において身体の自律調整反応誘導の誘引として実施者の顔の角度を規定する線すなわち両眼の中心を結んだ線を基準とする顔の位置と角度の意識的能動的機械的固定を利用する適正に水平な平面の台上棒で球体を撞く方法
【請求項５】
請求項１または２の実施方法であってかつそれらの実施において身体の自律調整反応誘導の誘引として実施者の肘の実施目的を阻害しないような柔軟かつ安定的な意識的能動的機械的固定を利用する適正に水平な平面の台上棒で球体を撞く方法
【請求項６】
請求項１または２の実施方法であってかつそれらの実施において身体の自律調整反応誘導の誘引として実施者が自身の腰の角度であって身体の自律調整反応の結果帰結落着した姿勢の腰の角度と一致する腰の角度の意識的能動的機械的固定を利用する適正に水平な平面の台上棒で球体を撞く方法
【請求項７】
請求項１または２の実施方法であってかつそれらの実施において身体の自律調整反応誘導の誘引として実施者が自身の実施目的達成のために視力の焦点を合わせる意識集中時の身体の緊張の結果もたらされる身体の自律的反応である姿勢固定を意識的能動的機械的に利用する適正に水平な平面の台上棒で球体を撞く方法
【請求項８】
請求項３の実施においてその実施の過程に観られる自律調整反応現象のうち姿勢の上下に伴う実施に用いる棒の方向の変化が示す蛇行現象の観察結果の蛇行軌跡と実施目的達成目標線が交わる点を利用した姿勢固定を意識的能動的機械的に利用する適正に水平な平面の台上棒で球体を撞く方法
【請求項９】
請求項１乃至３の実施に基づく請求項４乃至８の実施に続け加えて実施する方法であって実施者の姿勢を椅子に座る座位の身体バランスへ誘導した身体の意識的能動的機械的固定を利用する適正に水平な平面の台上棒で球体を撞く方法
【発明の詳細な説明】
【技術分野】
【０００１】  この発明は、ビリヤードなど水平な平面の台上棒すなわちキューで球体すなわち手球を撞く遊戯または競技の実施者の悪習慣姿勢を実施者自身に意図的に差し止め回避させしめ、その目的達成の構えまたは姿勢すなわちフォームを阻害して棒すなわちキューの方向をブレさせる恣意的要因を身体の自律調整反応を利用して事前に排除し悪習慣姿勢を意識的能動的機械的に補正し適正に水平な平面の台上棒すなわちキューで球体すなわち手球を撞く方法に関するものである。
【背景技術】
【０００２】  従来、ビリヤードの実施者の悪習慣姿勢は放置されているか、あるいは指導者に指導され矯正されるか、または本人の恣意によって強制的に本人が正当とする観念によって自己矯正されていた。それらは場合により実施の成功率を低下させて実施者の継続的実施も阻害していた。
【先行技術文献】
【特許文献】
【０００３】
【特許文献１】
【０００４】
【非特許文献１】
【発明の概要】
【発明が解決しようとする課題】
【０００５】  これは、次のような欠点があった。悪習慣姿勢を放置すれば実施者はそれに盲目的に従って棒すなわちキューで球体すなわち手球を撞くショットの失敗を免れられない。指導者の指導による構えまたは姿勢すなわちフォームの矯正は指導者の指導内容に左右されおうおうにして熟練に依存するものである。本人の恣意による観念的自己矯正はともすれば更に誤った姿勢の修得になり悪習慣連鎖になってしまう。悪習慣姿勢は身体内部に生じる力学的反動要因の悪影響を免れることがなく、それによる実施はおうおうにして失敗に帰結し実施の成功率を低下させる。力学的反動要因の身体内部への保持は身体に負担を与え継続的実施の阻害要因ともなる。
本発明は、以上のような欠点をなくすためになされたものである。
【課題を解決する手段】
【０００６】  実施者は球体（１）すなわち手球を撞く棒（５）すなわちキューを目標線（４）にその中心軸線（８）が合致するように機械的に位置せしめそのままの状態を保持し、いったん姿勢を固定しつつ全身脱力して待機する。
実施者は自身の身体がそのいったんの姿勢固定の拘束に応じて自然反応し必要なバランスをとってやがて身体内部の力学的反動要因を解放しそれらを介在させない安定的な姿勢に移行し落着するまで待つ。
あるいは実施者は自然反応の帰結である身体内部に力学的反動要因を解放しそれらを介在させない安定的な姿勢への移行過程に従うように自身の身体バランスを意識的能動的機械的にその安定的な姿勢にまで誘導する。
実施者は上述の安定的な姿勢を保持したまま球体（１）すなわち手球を撞く。
本発明は、以上の手続きにより実現するビリヤードなど水平な平面の台上棒（５）すなわちキューで球体（１）すなわち手球を撞くのに適正な棒（５）の振りすなわちストロークを阻害する構えまたは姿勢すなわちフォームにおける棒（５）すなわちキューの方向のブレを身体の自律的調整反応を利用して排除または意識的能動的機械的に補正し適正に水平な平面の台上棒（５）すなわちキューで球体（１）すなわち手球を撞く方法である。
【発明の効果】
【０００７】  実施者が自ら意図して機械的に自身の構えまたは姿勢すなわちフォームを差し止める手続きをとることで悪習慣姿勢と悪習慣姿勢への回帰が回避され、指導者がある場合にも指導者が誰であるかどのような指導内容であるかを問わず熟練すべきとの要求に応える必要無く、また実施者自身の恣意による観念的自己矯正が入る余地が無く、無理の無い身体に本来具わった自然調整反応が惹起される。体に強制による無理が生じないためその反動も無く、実施に最も適正な構えまたは姿勢すなわちフォームに自然に一致して、実施者は実施の目的達成阻害要因すなわち身体内部の力学的反動要因に左右されることなく目的すなわち適正に水平な平面の台上棒（５）すなわちキューで球体（１）すなわち手球を撞くことを実現することができる。
【図面の簡単な説明】
【０００８】
【図１】  本発明の実施に用いる球体（１）すなわち手球及び棒（５）すなわちキュー並びに目標物の模式図とそれらの関係を示す図の複合図の平面図である。
【発明を実施するための形態】
【０００９】  以下、本発明を実施するための手続きについて説明する。
まず、本発明を実施するための準備手続きについて説明する。
実施者は実施専用の適正な高さの水平な台の前に、棒（５）で球体（１）を撞く距離を仮に自由に図って、正面を向いて立つ。
実施者はその台上棒（５）で球体（１）を撞くのに適正な位置に球体（１）を置く。
実施者は球体（１）の中心（２）と棒（５）で球体（１）をまっすぐに撞いたときに球体（１）が移動し到着衝突する目標物を現実に狙う方向を規定する点（１１）が一直線で結ばれるような目標線（４）を想定する。
実施者は利き手で棒（５）の後方部分（１３）を握り、もう一方の手で棒（５）の前方部分（１２）を球体（１）を撞く動作を支持するように準備して両手で棒（５）を持つ。
実施者は上述のように棒（５）を持ったまま、目標線（４）上で棒（５）で球体（１）を撞くのに撞き易い適正な距離に棒（５）が位置するように球体（１）と棒の先（６）との距離（４）を自由に図って、棒（５）で球体（１）を撞いたときに目標物（９）に球体（１）が衝突する目的進行方向（１０）に棒の先（６）が向くようにすなわち棒（５）の中心軸線（８）が目標線（４）に合致するように棒の先（６）及び棒の尻（７）の位置を確認して位置せしめつつ、実施者の顔が目的進行方向（１０）に対して正面を向き実施者の顔の中心すなわち両眼の中心または利き目の中心が目標線（４）上のいずれか実施者が自由に選ぶ高さにあって棒（５）の中心軸線（８）と目標線（４）の合致の確認が容易なように、目標物（９）を目標物を現実に狙う方向を規定する点（１１）に向かって覗き込む。
実施者はそのときに利き手と同じ側の足すなわち軸足が自然な位置に落着しているかどうかを自覚的に確認し落着させて軸足の位置を決定する。
実施者は身体各部の連動の要求、すなわち軸足の位置と顔の位置の決定によって身体の他の部位の態様が自然帰結すべきバランスを要求していることを自覚しながら、軸足の位置を決定した結果もたらされている肩肘の態様を維持しつつ、軸足と反対の足を持ち上げ、残る身体各部との連動によって更にバランスをとろうとする軸足と反対の足の向きの変動を阻害することなく帰結するその軸足と反対の足の向きを保持したまま同じ軸足と反対の足を一歩前に踏み出して床面に置く。
実施者は上で固定した棒（５）の方向を維持しつつ実施者の顔が目的進行方向（１０）に対し正面を向き棒（５）の真上のいずれか実施者が自由に選んだ高さに顔の中心すなわち両眼の中心または利き目の中心が位置するように前屈みになって、顎の高さと棒（５）との距離が姿勢が楽な適正な位置を保つようにする。
実施者は棒（５）を持つ利き手の棒（５）を握る位置（１３）とその反対の手の棒（５）を支える位置（１２）を自身の姿勢に適するように自由に調整する。
実施者は目標線（４）に棒（５）の中心軸線（８）が合致しているか棒の先（６）と棒の尻（７）の位置で確認し機械的に合致せしめその状態を保持すると同時に、必要に応じて先立ってに固定した両足の位置を調整し固定し直して姿勢を整える。
実施者はいったん全身脱力して待機し、上で固定しまたは固定し直した軸足及びその反対の足並びに顔以外の残る身体各部が棒（５）の位置拘束に応じて自然反応し必要なバランスをとってやがて身体内部に力学的反動要因を介在させない安定的な姿勢に移行し落着するまで待つ。
あるいは実施者はその姿勢の自然移行過程を確認した後にはそれに従うように自然反応の経過を自己観察しつつ観察結果に一致するように自身の身体バランスを能動的に身体内部に力学的反動要因を介在させない安定的な姿勢にまで意識的に誘導する。
以上が、発明を実施するための準備手続きである。
本発明は、以上の発明を実施するための準備手続きにより実現する本発明の実施に使用する棒（５）すなわちキューの実施中の適正な振りすなわちストロークを阻害する実施中の姿勢すなわちフォームにおける球体（１）すなわち手球を撞く棒（５）すなわちキューの方向のブレを身体の自律調整反応を利用して事前に排除または意識的能動的機械的に補正する水平な平面の台上棒（５）で球体（１）すなわち手球を撞くのに適正な方法である。
【実施例１】
【００１０】  以下、本発明の実施例１の実施手続き、すなわち本発明を実施するための形態記載の本発明を実施するための準備手続きに続く続きの実施手続きの一つについて説明する。
本発明の実施例１の実施には、本発明を実施するための形態記載の準備手続きをまず行い、それに続けて以下の手続きを踏むものとする。
実施者は上述の準備手続きで落着または誘導した一回目の安定姿勢を維持しつつ、自身の顔の方向と位置を両眼の中心を結んだ線が、球体（１）の目標線（４）と直交するその直径（３）と平行になりかつ顔または利き目の中心が目標線（４）上のいずれか実施者が自由に選んだ高さにあるように機械的に改めて、顔の位置と向く角度を意識的能動的機械的に固定する。
実施者は上述の顔の固定姿勢すなわち両足の位置と角度及び顔の位置と向きが固定され目標線（４）とその中心軸線（８）が一致するように棒（５）を持った姿勢を維持したまま自身の他の身体部位が自然にバランスして身体内部に力学的反動要因を介在させない二回目の安定的な姿勢に移行落着するまで待つかあるいは自己観察して誘導する。
実施者は自身の身体が二回目の安定的な姿勢に落着するか自ら能動的に落着させたらその身体内部に力学的反動要因を介在させない姿勢を維持したまま棒（５）で球体（１）を撞く。
あるいはその後には、先立って球体（１）を撞いた際の身体の変化態様を記憶しておき再現実施するように棒（５）で球体（１）を撞く。
本実施例１は、以上の手続きにより実現する適正な棒（５）すなわちキューの振りすなわちストロークを阻害する構えまたは姿勢すなわちフォームにおける棒（５）すなわちキューの方向のブレを身体の自律調整反応を利用して事前に排除し意識的能動的機械的に補正するビリヤードなど水平な平面の台上棒（５）すなわちキューで球体（１）すなわち手球を撞く遊戯または競技において適正に棒（５）すなわちキューで球体（１）すなわち手球を撞く方法の一つである。
【実施例２】
【００１１】  以下、本発明の実施例２の実施手続き、すなわち本発明を実施するための形態記載の本発明を実施するための準備手続きに続く続きの実施手続きの一つについて説明する。
本発明の実施例２の実施には、本発明を実施するための形態記載の準備手続きをまず行い、それに続けて以下の手続きを踏むものとする。
実施者は上述の準備手続きで落着または誘導した一回目の安定姿勢を維持しつつ、自身の肘の位置を目標線（４）上のいずれか実施者が自由に選んだ高さに意識的機械的に位置せしめ、実施動作に支障の無い柔軟性を伴うように意識的能動的機械的に固定する。
実施者は上述の肘の固定姿勢すなわち両足の位置と角度及び肘の位置が固定され目標線（４）とその中心軸線（８）が一致するように棒（５）を持った姿勢を維持したまま自身の他の身体部位が自然にバランスして身体内部に力学的反動要因を介在させない二回目の安定的な姿勢に移行落着するまで待つかあるいは自己観察して誘導する。
実施者は自身の身体がその二回目の安定的姿勢に落着するか自ら能動的に落着させたらその姿勢を維持したまま棒（５）で球体（１）を撞く。
あるいはその後には、先立って球体（１）を撞いた際の身体の変化態様を記憶しておき再現実施するように棒（５）で球体（１）を撞く。
本実施例２は、以上の手続きにより実現する適正な棒（５）すなわちキューの振りすなわちストロークを阻害する構えまたは姿勢すなわちフォームにおける棒（５）すなわちキューの方向のブレを身体の自律調整反応を利用して事前に排除し意識的能動的機械的に補正するビリヤードなど水平な平面の台上棒（５）すなわちキューで球体（１）すなわち手球を撞く遊戯または競技において適正に棒（５）すなわちキューで球体（１）すなわち手球を撞く方法の一つである。
【実施例３】
【００１２】  以下、本発明の実施例３の実施手続き、すなわち本発明を実施するための形態記載の本発明を実施するための準備手続きに続く続きの実施手続きの一つについて説明する。
本発明の実施例３の実施には、本発明を実施するための形態記載の準備手続きをまず行い、それに続けて以下の手続きを踏むものとする。
実施者は上述の準備手続きで落着または誘導した一回目の安定姿勢を維持しつつ、自身の腰の角度を同じく準備手続きで自己観察の結果落着した角度に意識的能動的機械的に固定する。
実施者は上の腰の角度の固定姿勢すなわち両足の位置と角度及び腰の角度が固定され目標線（４）とその中心軸線（８）が一致するように棒（５）を持った姿勢を維持したまま自身の他の身体部位が自然にバランスして身体内部に力学的反動要因を介在させない二回目の安定的な姿勢に移行落着するまで待つかあるいは自己観察して誘導する。
実施者は自身の身体がその二回目の安定的姿勢に落着するか自ら能動的に落着させたらその姿勢を維持したまま棒（５）で球体（１）を撞く。
あるいはその後には、先立って球体（１）を撞いた際の身体の変化態様を記憶しておき再現実施するように棒（５）で球体（１）を撞く。
本実施例３は、以上の手続きにより実現する適正な棒（５）すなわちキューの振りすなわちストロークを阻害する構えまたは姿勢すなわちフォームにおける棒（５）すなわちキューの方向のブレを身体の自律調整反応を利用して事前に排除し意識的能動的機械的に補正するビリヤードなど水平な平面の台上棒（５）すなわちキューで球体（１）すなわち手球を撞く遊戯または競技において適正に棒（５）すなわちキューで球体（１）すなわち手球を撞く方法の一つである。
【実施例４】
【００１３】  以下、本発明の実施例４の実施手続き、すなわち本発明を実施するための形態記載の本発明を実施するための準備手続きに続く続きの実施手続きの一つについて説明する。
本発明の実施例４の実施には、本発明を実施するための形態記載の準備手続きをまず行い、それに続けて以下の手続きを踏むものとする。
実施者は上述の準備手続きで落着または誘導した一回目の安定姿勢を維持しつつ、自身が球体（１）を撞くときに目標点（１２）を狙う視力の焦点を合わせる集中に伴う身体の緊張の結果帰結する姿勢を意識的能動的機械的に固定する。
実施者は上述の固定姿勢すなわち両足の位置と角度が固定され視力の焦点を合わせる集中に伴った緊張によって全身が固定され目標線（４）とその中心軸線（８）が一致するように棒（５）を持った姿勢を維持したまま自身の他の身体部位が自然にバランスして身体内部に力学的反動要因を介在させない二回目の安定的な姿勢に移行落着するまで待つかあるいは自己観察して誘導する。
実施者は自身の身体が上述の二回目の安定的姿勢に落着するか自ら能動的に落着させたらその姿勢を維持したまま棒（５）で球体（１）を撞く。
あるいはその後には、先立って球体（１）を撞いた際の身体の変化態様を記憶しておき再現実施するように棒（５）で球体（１）を撞く。
本実施例４は、以上の手続きにより実現する適正な棒（５）すなわちキューの振りすなわちストロークを阻害する構えまたは姿勢すなわちフォームにおける棒（５）すなわちキューの方向のブレを身体の自律調整反応を利用して事前に排除し意識的能動的機械的に補正するビリヤードなど水平な平面の台上棒（５）すなわちキューで球体（１）すなわち手球を撞く遊戯または競技において適正に棒（５）すなわちキューで球体（１）すなわち手球を撞く方法の一つである。
【実施例５】
【００１４】  以下、本発明の実施例５の実施手続き、すなわち本発明を実施するための形態記載の本発明を実施するための準備手続きに続く続きの実施手続きの一つについて説明する。
本発明の実施例５の実施には、本発明を実施するための形態記載の準備手続きをまず行い、それに続けて以下の手続きを踏むものとする。
実施者は、実施例１乃至実施例４の実施において落着あるいは誘導した二回目の安定的な姿勢をそれぞれ観察したとき棒（５）の向いている方向と目標線（４）が一致していないかまたは微細にずれている場合に棒（５）の向いている方向に関する要素を除く実施の二回目の安定的な姿勢が変化しないように維持しつつその姿勢の高さのみ慎重に上下させて、棒（５）の向いている方向が蛇行変化する軌跡を走査観察する。
実施者は棒（５）の向いている方向が蛇行変化の軌跡を描いている途中目標線（４）と交差する瞬間を見つけその時点での姿勢に自身の姿勢を固定する。
実施者はその固定姿勢を維持したまま棒（５）で球体（１）を撞く。
あるいはその後には、先立って球体（１）を撞いた際の身体の変化態様を記憶しておき再現実施するように棒（５）で球体（１）を撞く。
本実施例５は、以上の手続きにより実現する適正な棒（５）すなわちキューの振りすなわちストロークを阻害する構えまたは姿勢すなわちフォームにおける棒（５）すなわちキューの方向のブレを身体の自律調整反応を利用して事前に排除し意識的能動的機械的に補正するビリヤードなど水平な平面の台上棒（５）すなわちキューで球体（１）すなわち手球を撞く遊戯または競技において適正に棒（５）すなわちキューで球体（１）すなわち手球を撞く方法の一つである。
【実施例６】
【００１５】  以下、本発明の実施例６の実施手続き、すなわち本発明を実施するための形態記載の本発明を実施するための準備手続き及びそれに続く実施例１乃至実施例５のそれぞれの手続きに更に続く実施例６の実施手続きについて説明する。
本発明の実施例６の実施には、本発明を実施するための形態記載の準備手続きをまず行い、それに続く実施例１乃至実施例５の二回目の安定姿勢に至る手続きを行い、更に続けて以下の手続きを踏むものとする。
実施者は、上述の一連の手続きでの二回目の安定的な姿勢の落着または誘導を確認し、それに続けて、更に椅子に座る座位すなわち通常椅子に座るときの姿勢を椅子を用いないままとって実現しその姿勢を意識的能動的機械的に固定する。
実施者はその固定姿勢を維持したまま棒（５）で球体（１）を撞く。
あるいはその後には、先立って球体（１）を撞いた際の身体の変化態様を記憶しておき再現実施するように棒（５）で球体（１）を撞く。
本実施例６は、以上の手続きにより実現する適正な棒（５）すなわちキューの振りすなわちストロークを阻害する構えまたは姿勢すなわちフォームにおける棒（５）すなわちキューの方向のブレを身体の自律調整反応を利用して事前に排除し意識的能動的機械的に補正するビリヤードなど水平な平面の台上棒（５）すなわちキューで球体（１）すなわち手球を撞く遊戯または競技において適正に棒（５）すなわちキューで球体（１）すなわち手球を撞く方法の一つである。
【産業上の利用可能性】
【００１６】  本発明は恣意による盲目的な実施または不適切な指導あるいは誤った自己関与による失敗要因が身体の自律調整反応の利用によって事前に排除される純然と自然法則に機械的に従う方法であるため体に無理が無く実施者に容易にビリヤードに対する喜びが得られ継続的実施の動機となってビリヤード人口の維持増進に貢献する。よってビリヤード産業の発展、関連企業の利益向上がもたらされる。本発明の実施を促すデバイスや装置の発明開発製造販売は経済波及効果につながる。
【符号の説明】
【００１７】１  本発明の実施の用いる球体すなわち手球の模式図
２  本発明の実施に用いる球体１すなわち手球の中心
３  本発明の実施に用いる球体１すなわち手球の直径であって４の目標線と直交する直径４  本発明の実施に用いる球体１すなわち手球の直径に直行する直線であってかつ球体１すなわち手球の中心及び本発明の実施に用いる目標物９すなわち的球またはクッションを現実に狙う方向を規定する点１１を含む直線である目標線
５  本発明の実施に用いる棒すなわちキューの模式図
６  本発明の実施に用いる棒５すなわちキューの先
７  本発明の実施に用いる棒５すなわちキューの尻
８  本発明の実施に用いる棒５すなわちキューの断面中心を貫く中心軸線
９  本発明の実施に用いる目標物すなわち的球またはクッションの模式図
１０  本発明の実施の際に球体１すなわち手球を撞くときに目標とする目的進行方向
１１  本発明の実施に用いる目標物９すなわち的球またはクッションを現実に狙う方向を規定する点
１２  本発明の実施に用いる棒５すなわちキューの前方部分
１３  本発明の実施に用いる棒５すなわちキューの後方部分
【図１】
2017060722.tif 000003